(57)【特許請求の範囲】
【請求項１】
複数の耕耘爪１，１．．．を取り付けた耕耘パイプ２を伝動ケース１５と支え板１６との間に軸承し、この耕耘パイプ２の上方を主カバー３で覆い側方をサイドカバー４で覆うと共に、サイドカバー４の後方下部には下方に向かって延長突設するサブサイドカバー６を取り付け、サイドカバー４の前方下部には残耕処理爪７を設けたロータリ耕耘具５において、該残耕処理爪７の前縁部に、前記サブサイドカバー６の外側から内側に向かって屈曲させ且つ前記耕耘爪１と略同じ耕深位置まで伸びる背面視「Ｌ」字状の掘削刃８を形成し、さらに、前記掘削刃８の後部に、前記掘削刃８で掘削された泥土を後方に至るに従い前記サブサイドカバー６の内側へ案内する泥土案内面９を形成すると共に、この案内面９上部を側面から見て前記支え板１６の下面形状に沿わせる形状としたことを特徴とするロータリ耕耘具。
【発明の詳細な説明】
【０００１】
【発明の属する技術分野】
この発明は、ロータリ耕耘具に関するものであり、特に耕耘爪の外側方に設ける残耕処理装置を設け、外側の未耕側泥土を回転する耕耘爪側に案内して、所定の大きさに砕土しながら走行しようとするものである。
【０００２】
【従来の技術、及び、発明が解決しようとする課題】
従来の装置は、実開昭４８−１００７０７号公報や実開昭５１−１２７４０２号公報で示すものがあり、これらの残耕処理刃は、単に耕耘爪の外側未耕地を耕耘爪側に案内する犂やプラウ的な掘削刃を一側に取り付けたものであって、このような掘削刃においては、前進に伴い掘削泥土を上方の取付支枠部に持ち上げ案内する程度であって、耕耘爪側に案内できなかったり、案内しても耕耘爪の後方側方をカバーで覆っていないので耕耘爪で外方に飛ばしてしまい、砕土性が悪い等の欠点が有った。
【０００３】
【課題を解決するための手段】
この発明は、複数の耕耘爪１，１．．．を取り付けた耕耘パイプ２を伝動ケース１５と支え板１６との間に軸承し、この耕耘パイプ２の上方を主カバー３で覆い側方をサイドカバー４で覆うと共に、サイドカバー４の後方下部には下方に向かって延長突設するサブサイドカバー６を取り付け、サイドカバー４の前方下部には残耕処理爪７を設けたロータリ耕耘具５において、該残耕処理爪７の前縁部に、前記サブサイドカバー６の外側から内側に向かって屈曲させ且つ前記耕耘爪１と略同じ耕深位置まで伸びる背面視「Ｌ」字状の掘削刃８を形成し、さらに、前記掘削刃８の後部に、前記掘削刃８で掘削された泥土を後方に至るに従い前記サブサイドカバー６の内側へ案内する泥土案内面９を形成すると共に、この案内面９上部を側面から見て前記支え板１６の下面形状に沿わせる形状としたことを特徴とするロータリ耕耘具とした。
【０００４】
【実施例】
図例は、ロータリ耕耘具５の一側に取り付ける残耕処理装置である。説明中の前後左右の方向は、ロータリ耕耘具５の進行方向「イ」に対しての方向である。
ロータリ耕耘具５は、農用トラクターの機体１０前部や後部に配設される作業機取付用の三点リンク１１等の昇降リンクに取り付けられ、農用トラクターの運転者の操作や自動制御操作により昇降する。そして、農用トラクターの外部動力取出装置であるＰＴＯ軸１２の駆動力を自在継手１３を介して入力軸１４に入力し、伝動ケース１５を経て駆動力を耕耘パイプ２に伝えている。
【０００５】
伝動ケース１５がロータリ耕耘具５の左右方向中央部に位置しているものをセンタードライブ耕耘装置と称し、伝動ケース１５がロータリ耕耘具５の左右方向一側部に位置しているものをサイドドライブ耕耘装置と称しており、図例のものは左側に伝動ケース１５を配設したサイドドライブ耕耘装置である。
左方の伝動ケース１５と右方の支え板１６間には耕耘パイプ２がベアリング等を介して軸承されており、この耕耘パイプ２に放射状に複数個取り付けた爪ホルダー１７，１７．．．．に耕耘爪１，１．．．．を着脱変更自在に取り付けている。耕耘パイプ２の駆動回転により耕耘爪１，１．．が矢印「ロ」方向に回転すると圃場表面泥土「Ａ」は掘削され後方に飛散する掘削泥土「Ｂ」となる。
【０００６】
耕耘パイプ２と耕耘爪１，１．．上方には、前後方向に一定の長さを有した主カバー３が伝動ケース１５と支え板１６間に取り付けられている。この主カバー３の後縁部には主カバー３と略同幅のゴム板や軟質樹脂材等から成る弾性板１８の前縁部が取り付けられており、該弾性板１８の後縁部にリヤーカバー１９の前縁部が取り付けられている。
【０００７】
リヤカバー１９の上面には、幅方向中央前方に突出する中央揺動部２０を先端部に設けた二又状の支持アーム２１，２１の後端部が一体的に取り付けられている。また、リヤカバー１９の左右側端部には補強を兼ねた保持枠２２，２２が設けられており、該保持枠２２と主カバー３との間をバネ板２３，２３で揺動可能に規制しながら連結している。これにより、リヤカバー１９は主カバー３に対し、上下や左右や前後方向に揺動可能に取り付けられている。この揺動をさらに規制するために、主カバー３の後縁部左右からそれぞれ支持枠２４，２４が上方に向かって突設され、この突設端と支持アーム２１，２１後端部リヤカバー１９上面に取り付ける取付枠２１ａ，２１ａの間にプッシュプルロッド２５，２５が軸着されている。
【０００８】
プッシュプルロッド２５の下端はピン２６で支持枠２１ａ側の下部枠４５に軸着され、プッシュプルロッド２５の上部は支持枠２４内のコマ２７の孔に軸心方向スライド自由またはロックピン２８の押し込みによるロック可能の構成としている。
プッシュプルロッド２５には、図示しない複数位置にロック孔が設けられており、ロックピン２８，２８でロックすることにより、主カバー３に対するリヤカバー１９は上下動が規制される。２９，２９はロック環であって、プッシュプルロッド２５に取り付けた上下のコイルバネ３０，３１の加圧力を調整するためのものであり、ロックピン２８をフリー状態としたとき、コマ２７にロック環２９を近付けるほどコイルバネ３０，３１の加圧力を大きくでき、上コイルバネ３０を強くするほどリヤカバー１９の側面視姿勢が吊りあげられ、下コイルバネ３１を強くするほど作業時のリヤカバー１９均平鎮圧力が大きくなる。
【０００９】
リヤカバー１９後部には、図４斜視図で示すように、左右方向中央に二等辺三角形状の中央カバー蓋４１と、左右両側端に略台形状のコーナーカバー蓋４２，４２を着脱自在に取り付けている。例えば、中央カバー蓋４１を取外した場合について説明すると、この蓋を外した開口部に、左右方向中央に取り付けた別作業機である畦立て用の倍土板先端部を臨ませて取り付けようとするものであり、このようにロータリ耕耘具５に別作業機である畦立て用の倍土板先端部を近付けて取り付け得ると、複合時の作業装置全長を短くでき、機体から後方に突出するオーバーハング量が小さくできて、旋回や走行が容易に行える。
また、この蓋の部分を取り外すことにより、リヤカバー１９の下方に中央畦立て用の倍土板先端部を位置させても、リヤカバー１９の上下揺動を妨げないから、畦立て器側に土壌上面均平用の大きな均平板が不要となる。
【００１０】
リヤカバー１９廻りを図４の全体斜視図を主体に説明すると、リヤカバー１９の後方には均平レベラ４３が、リヤカバー１９後端縁近傍を揺動中心に上下揺動自在に取り付けられている。この図例の均平レベラ４３は、それ自体の自重で泥土表面を加圧するものとしており、均平レベラ４３の下方には前後向きに棒状のツース４４，４４．．．．が横方向に複数本取り付けられており、ツース４４の下縁に沿って掘削泥土Ｂ側に移動する草や藁を、均平レベラ４３の自重とツース４４の弾性力により耕耘泥土中に押し込んでいる。
【００１１】
図９で示すものは、別形態の均平レベラ４３ａであって、主カバー３に対するリヤカバー１９の動きを牽制して連結するプッシュプルロッド２５ａを、次のような構成としている。即ち、取付枠２１ａから後方に一体突設する下部枠４５に、ピン２６によりプッシュプルロッド２５ａの上下方向中間部を軸着し、下部枠４５から下方に突出するプッシュプルロッド２５ａの下端部を、均平レベラ４３ａの揺動アーム４６に軸着４７している。該揺動アーム４６は補強板を兼ねて前部軸４８を中心に上下動可能としており、プッシュプルロッド２５ａに開口した複数個の調節孔４９，４９．．．取付位置を変更して揺動姿勢を変更する。このような構成とすると、均平レベラ４３ａの自重を大きくしなくても、リヤカバー１９の加圧に使用するコイルバネ３１を利用して加圧増量できる。また、ロータリ耕耘具５を吊り上げ時にはコイルバネ３０により、均平レベラ４３ａが垂れ下がるのを防止できる。
【００１２】
次にこの発明の要部である、残耕処理装置について説明する。
図３では構成を判り易くするため、耕耘パイプ２の側方に設けたサイドカバー４を取り去った左側面図としている。通常は、図４で示すように、耕耘爪１，１，１．．や耕耘パイプ２の側方上部は、伝動ケース１５の内方に配設する、前サイドカバー４ａと後サイドカバー４ｂから成るサイドカバー４で覆われている。
【００１３】
図１右側面図と図２の背面図で、支え板１６側のサイドカバー４廻りを説明する。
残耕処理装置は、伝動ケース１５に対し幅方向の厚みの少ない、支え板１６側の下部に取り付けられており、残耕の幅をなるべく少なくしている。支え板１６下部にはベアリング（図示せず。）を内装したメタル３２がボルト３３，３３．で取り付けられており、このボルト３３を利用して前部にホルダー３４部を有するブラケット３５が取り付けられている。
【００１４】
ホルダー３４は支え板１６の前方に位置し、残耕処理爪７の上端部が一本の取付ボルト３６で取り付けられている。残耕処理爪７は中間から下方の前縁部を、正面視で「Ｌ」字状としており、この「Ｌ」字状部を刃体である掘削刃８としている。また、この掘削刃８は側面視で後方に向かってゆるやかに逃げた曲面としており、前進時に未耕泥土中に安定して刺さりやすくしている。掘削刃８の下縁部は耕耘爪１の回転軌跡近傍位置まで下がっており、掘削耕深を略同深さとしている。
【００１５】
残耕処理爪７はホルダー３４の取付上端部に対し背面視で、上下方向中間部から下方の掘削刃８の部分が外側方に突出して、未耕泥土を削るようにしている。また、前後のサイドカバー４ａ，４ｂは左側のサイドカバー４と略対称形であるが、右側の後サイドカバー４ｂには下方に向かって上下スライド可能に、サブサイドカバー６を備えている。３７，３７は取付ネジであって、サブサイドカバー６を長孔３８，３８に沿って上下方向スライド自由または固定可能に取り付けている。
【００１６】
図１，図２で示す残耕処理爪７は、側面視で前縁の掘削刃８から後縁側が、支え板１６の下方側まで大きく延出しており、この延出側が、背面視の仮想線で示すサブサイドカバー６の前縁側に向かって、内方に傾斜した泥土案内面９としている。この泥土案内面９により、ロータリ耕耘具５が前進して未耕地側の泥土を掘削刃８で削り取ると、掘削された泥土はサブサイドカバー６の内側に容易に案内され、耕耘爪１，１．．で細かく所定の大きさに砕土される際に外方に逃げることもない。
【００１７】
図５，図６は、残耕処理装置の爪の別実施例であり、以下説明する。
図５で示す残耕処理爪７ａは、通常のロータリ耕耘具５に使用される側方に偏心した回転爪を、ブラケット３５のホルダー３４部に取り付けて、牽引爪として使用しようとするものであり、回転爪と共用しているため安価である。この場合は、爪下端部の曲がった底面部が泥土案内面９ａと成っている。
【００１８】
図６で示す残耕処理爪７ｂは、図５の強度アップのものであり、背面視「Ｌ」字状の残耕処理爪７ｂの後縁側を補強面板３９で接続して補強すると共に、この補強面板３９を泥土案内のための曲面として掘削泥土を耕耘爪１側に案内している。
図７は要部右側の平面図であって、図５，図６で示す残耕処理装置の爪７ａ，７ｂを取り付けた状態として説明するが、残耕処理装置の後方に片培土器４０を取り付けて、隣の圃場との仕切りである畦畔近くを走行する場合を説明する。
【００１９】
畦畔部の片培土作業は、耕耘泥土を耕耘爪１側に移動しながら前進して、畦畔内側に小溝を作るものであるが、片培土器４０の前側で未耕泥土をある程度耕耘爪１側に移動するから、片培土器４０に負荷する泥土が少なくなり運転が容易となる。また、耕耘作業に馴れていない運転者が、畦畔を破損する恐れがあって離れて作業しても残耕を生じ難い。
【００２０】
【発明の作用効果】
この発明は、複数の耕耘爪１，１．．．を取り付けた耕耘パイプ２を伝動ケース１５と支え板１６との間に軸承し、この耕耘パイプ２の上方を主カバー３で覆い側方をサイドカバー４で覆うと共に、サイドカバー４の後方下部には下方に向かって延長突設するサブサイドカバー６を取り付け、サイドカバー４の前方下部には残耕処理爪７を設けたロータリ耕耘具５において、該残耕処理爪７の前縁部に、前記サブサイドカバー６の外側から内側に向かって屈曲させ且つ前記耕耘爪１と略同じ耕深位置まで伸びる背面視「Ｌ」字状の掘削刃８を形成し、さらに、前記掘削刃８の後部に、前記掘削刃８で掘削された泥土を後方に至るに従い前記サブサイドカバー６の内側へ案内する泥土案内面９を形成すると共に、この案内面９上部を側面から見て前記支え板１６の下面形状に沿わせる形状としたことを特徴とするロータリ耕耘具としたので、ロータリ耕耘具５を前進して未耕地側の泥土を掘削刃８で削り取ると、掘削された泥土は泥土案内面９によってサブサイドカバー６外に逃げること無く同カバー６の内側に案内され、また耕耘爪１，１．．で細かく砕土される際にも泥土か外方に逃げることがない。
【図面の簡単な説明】
【図１】要部説明のための、ロータリ耕耘具の右側面図である。
【図２】図１の背面図である。
【図３】ロータリ耕耘具全体の、左側面図である。
【図４】図３のリヤカバー部に均平レベラを取り付けた、全体斜視図である。
【図５】要部の第一別実施例である。
【図６】要部の第二別実施例である。
【図７】図５または図６の要部取付時の、平面図である。
【図８】リヤカバー部の平面図である。
【図９】均平レベラ別実施例取付時の、左側面図である。
【符号の説明】
１    耕耘爪
２    耕耘パイプ
３    主カバー
４    サイドカバー
５    ロータリ耕耘具
６    サブサイドカバー
７    残耕処理爪
８    掘削刃
９    泥土案内面
【図１】
0003707190.tif 000002
【図２】
0003707190.tif 000003
【図３】
0003707190.tif 000004
【図４】
0003707190.tif 000005
【図５】
0003707190.tif 000006
【図６】
0003707190.tif 000007
【図７】
0003707190.tif 000008
【図８】
0003707190.tif 000009
【図９】
0003707190.tif 000010